(57)【要約】【課題】  電子式ゴシックアーチトレーサーをコウ合採得や顎機能診査に利用するに当たり、省力化とコスト削減、並びに適応症の拡大を目的として、電子式ゴシックアーチトレーサーの直接的な口腔内装着と即時的な撤去、並びに位置的再現性のある再装着を可能とする、直接装着式ゴシックアーチトレーサーの提供を課題とするものである。【解決手段】  上顎側トレーと下顎側トレー、並びに電子式ゴシックアーチトレーサーを構成要素とし、電子式ゴシックアーチトレーサーのデジタイザー座標指示器（７）とデジタイザー抵抗膜方式センサー（１０）を、上顎側トレー（１）と下顎側トレー（２）に、それぞれ別々に設置することを手段とするものである。【選択図】  図１
2006192223.tif 000002
【特許請求の範囲】
【請求項１】
上顎側トレーと下顎側トレー、並びに電子式ゴシックアーチトレーサーを主要構成要素とし、上・下顎側トレーの一方のトレーに電子式ゴシックアーチトレーサーの座標指示器を設置し、他方のトレーに電子式ゴシックアーチトレーサーのセンサーを設置して、上・下顎側トレーを電子式ゴシックアーチトレーサーの装着装置とすることを特徴とする、直接装着式ゴシックアーチトレーサー。
【発明の詳細な説明】
【技術分野】
【０００１】  本発明は、歯科で用いる電子式ゴシックアーチトレーサーの患者への装着を、トレーと印象材を用いて直接的に行うことを目的とした、直接装着式ゴシックアーチトレーサーに関するものである。
【背景技術】
【０００２】  ゴシックアーチ描記法は１００年もの歴史を有する術式であるため、口内法式、口外法式を問わず、これまで様々な装置が考案され、近年では、デジタイザーを顎位の入力装置とする電子式ゴシックアーチトレーサーも開発されるに至ったが、ゴシックアーチトレーサーの口腔内への装着には、それ自体に装着用の装置を持たないため、義歯の製作に際してはコウ合床に設置することが必要であった。
それは同時に、顎機能診査や顎機能訓練を行う場合でも、印象採得にて製作した作業模型上で、ゴシックアーチトレーサーの装着に用いるプレート様装置や、シーネ、ブラケット等を、間接法で製作する必要があった。
一方、各種の顎運動解析装置では、マグネットや光源、超音波反射板等の測定用の指標が軽量で、それらをマウントする装着装置に荷重負荷がかからないことから、指標をシーネやブラケット等に装着して、これを歯科用セメントや接着剤等で直接歯牙に接着する方法が採用されていた。しかしながら、その様な方法では、シーネやブラケット等の撤去後に残ったセメントや接着剤等を、歯面はもとより歯間隣接面や歯肉縁下からスケーラーを用いて取り除くことが必要であった外、シーネやブラケットが撤去に際して変形し損傷してしまうため、同一条件での再描記を目的として、同一な位置に精密に再装着することは困難であった。
電子式ゴシックアーチトレーサーの登場により、ゴシックアーチトレーサーはコウ合採得に利用されるばかりでなく、顎機能診査や顎機能訓練にも利用されるようになったが、無歯顎用、有歯顎用を問わず、ゴシックアーチトレーサーの直接的な装着が可能で、撤去と再装着が簡単に行える方式のゴシックアーチトレーサーはこれまでに無く、汎用的で位置的再現性のある装着装置を設置したゴシックアーチトレーサーも、開発されていなかった。
【発明の開示】
【発明が解決しようとする課題】
【０００３】  本発明は、ゴシックアーチトレーサーの口腔内への装着を、間接法による作業を要しないで行うことと、撤去が簡単で、しかも元の位置に正確に再装着することができるようにすることによって、ゴシックアーチトレーサーの利用に要する時間とコストを減少させ、診療の効率化と顎機能診査の簡略化、適応症の拡大を目的とした、直接装着式ゴシックアーチトレーサーの提供を課題とするものである。
【課題を解決するための手段】
【０００４】  本発明では、有歯顎用、無歯顎用を問わず、印象材を保持するトレーにゴシックアーチトレーサーを設置することによって、トレーをゴシックアーチトレーサーの直接的な装着装置となし、印象材をゴシックアーチトレーサーの装着材として利用することを手段とするものである。
なお、トレーの形態は、従来の無歯顎用トレー、有歯顎用トレー、シーネタイプトレーの他、歯列コウ合面上に設置する馬蹄形トレー、歯列前歯部舌側あるいは口蓋側に設置する円盤形トレー、あるいは、それらの複合形態でも可能であり、目的に応じたトレー形態を利用することができる。
【発明の効果】
【０００５】  本発明では、ゴシックアーチトレーサーに設置したトレーを、ゴシックアーチトレーサーを直接的に口腔内に装着する装置として使用することと、印象材を合着材として利用することが特徴であり、それによる効果を下記に示す。
ａ．従来必要であったゴシックアーチトレーサーの装着を目的とするコウ合床やプレート様装置の製作が不要である。
ｂ．口腔内プレートとセントラルベアリングを用いずに、歯牙接触下の条件で側方顎運動経路を描かせる有歯顎用の広義のゴシックアーチトレーサーでも、アウターボウの設置と弾性体の装着により、ゴシックアーチトレーサーに設置したシーネタイプの上・下顎側トレーと印象材によって、ゴシックアーチトレーサーを歯列唇頬側面で固定することができることから、シーネやブラケットの製作が不要となり、簡易的な顎機能診査や顎機能訓練を即時に行うことが容易である。
ｃ．無歯顎用、有歯顎用を問わず、従来のゴシックアーチトレーサー装着用装置の製作を、トレーと印象材を用いた口腔内での直接的な印象類作業に置き換えることができるので、間接法による作業が不要となり、装着に要する時間を大幅に短縮することができる。
ｄ．印象材そのものが合着剤となるので、描記後の撤去作業が即時に終了する。
ｅ．直接的な装着と撤去が簡単なことから、初診時においても必要とされる場合にはすぐにゴシックアーチトレーサーを口腔内に装着して、顎機能診査や顎機能訓練を行うことが容易である。
ｆ．トレーに装填する印象材として硬質シリコーン系印象材を用いることにより、顎堤のアンダーカットを保持形態として安全に利用することができる。
ｇ．印象材の印象精度で直接的に合着面に合着するので、間接法で製作されたコウ合床やシーネ、ブラケット等よりも適合性が高く、口腔内におけるゴシックアーチトレーサーの維持安定と再装着の際の位置決め精度が高い。
ｈ．シリコーン系印象材の経時的安定性が高いことから、トレーによる印象を長期間保存することができる。これによって、歯列上の同一な位置にゴシックアーチトレーサーを再装着して、ゴシックアーチの描記を日を異にして行うことができる。これは、同一設置条件での繰り返し描記を容易にし、描記路による顎機能診査を経時的、定量的に行うことを可能とするものである。
ｉ．口腔内への再装着が可能なため、セントラルベアリングの高さを可変式にすることによって、ゴシックアーチを診ながらコウ合高径を調節することが可能である。
ｊ．印象材を撤去して、トレーの滅菌処理と再使用が可能であるので、ランニングコストを抑えることができる。従来の方法では、個々に調整、製作されたシーネを、他の患者に再び用いることは困難であった。
ｋ．アウターボウを付けて固定式とすることによって、装着が簡単で安定性が高いシステムとなすことができる。これによって、ゴシックアーチトレーシングとチエックバイト測定の、術式上の難易度を減少させることができる。
ｌ．上顎、あるいは下顎だけと言った、いわゆる片顎だけの義歯製作に当たっては、コウ合採得と、その後のコウ合器付着に際して、患者の口腔内における対合歯列と作業模型での対号歯列とで、それぞれ同一な位置関係にてゴシックアーチトレーサーを再設置する必要があるが、従来の方法では困難であった。
本発明では、トレーに充填した印象材を、そのまま合着材として機能させるため、両者における位置的関係を正確に保って、それぞれに再装着することが可能である。よって、片顎だけの義歯製作症例でも、ゴシックアーチトレーサーを適応することが容易である。
【実施例１】
【０００６】  以下、本発明の実施の形態を、図面にもとづいて説明する。
図１は実施例１を示すもので、無歯顎用の印象用トレーに口外法式の電子式ゴシックアーチトレーサーを設置するもので、上顎側トレーにセントラルベアリングと弾筆としたデジタイザーの座標指示器を設置し、下顎側トレーに描記板であるデジタイザーの抵抗膜方式センサーを設置する、本発明による請求項１の、無歯顎用直接装着式ゴシックアーチトレーサーである。
図２は、実施例１の機能時の状態を示すものである。
その他の実施例として、上・下顎側プレートにアウターボウを設置して固定式とすることにより、より安定性を高めることができる。
図３は実施例２を示すもので、シーネタイプトレーにアウターボウと口外法式の電子的ゴシックアーチトレーサーを設置する、有歯顎用の広義のゴシックアーチトレーサーであり、上顎側トレーに上顎側アウターボウとデジタイザーの座標指示器を設置し、下顎側トレーに下顎側アウターボウとデジタイザーの抵抗膜方式センサーを設置する、請求項１の、有歯顎用直接装着式ゴシックアーチトレーサーである。
【図面の簡単な説明】
【０００７】
【図１】  実施例１の、無歯顎用直接装着式ゴシックアーチトレーサーの斜視図である。
【図２】  実施例１の、機能時の様子を示す側面図である。
【図３】  実施例２の、アウターボウ付き有歯顎用直接装着式ゴシックアーチトレーサーの斜視図である。
【符号の説明】
【０００８】１．  上顎側トレー
２．  下顎側トレー
３．  口外法式ゴシックアーチトレーサー上顎側プレート
４．  口外法式ゴシックアーチトレーサー下顎側プレート
５．  印象材保持孔
６．  トレー固定ネジ
７．  デジタイザー座標指示器（弾筆）
８．  座標指示器固定ネジ
９．  座標指示器装着用ロッド
１０．  デジタイザー抵抗膜方式センサー（描記板）
１１．  センサーコード
１２．  センサー装着用ロッド
１３．  センサー固定ネジ
１４．  セントラルベアリング
１５．  上顎側アウターボウ
１６．  下顎側アウターボウ
１７．  シーネタイプ上顎側トレー
１８．  シーネタイプ下顎側トレー
１９．  ネックバンド装着孔
２０．  アウターボウ固定ネジ
２１．  トレー固定ネジ
【図１】
2006192223.tif 000003
【図２】
2006192223.tif 000004
【図３】
2006192223.tif 000005